(57)【要約】【課題】クリックの調節および設定を行うことで幅広い対応を行うことができる魚釣用リールを提供すること【解決手段】釣糸の繰り出しに伴って回転する音鳴回転体３４をリール本体２２に回転自在に支えられたスプール１２に設け、リール本体２２に変位可能に設けた音鳴体３６の端部をこの音鳴回転体３４に係合させて発音する発音機能３０を備えた魚釣用リール１０であって、音鳴回転体３４に当接する音鳴体３６の押圧力を調節可能とした魚釣用リール。【選択図】    図１
2006280223.tif 000002
【特許請求の範囲】
【請求項１】
釣糸の繰り出しに伴って回転する音鳴回転体をリール本体に回転自在に支えられた回転体に設け、リール本体に変位可能に設けた音鳴体の端部をこの音鳴回転体に係合させて発音する発音機構を備えた魚釣用リールであって、
前記音鳴回転体に当接する前記音鳴体の押圧力を調節可能としたことを特徴とする魚釣用リール。
【請求項２】
前記音鳴体の押圧力を、該音鳴体の外部に設けた調節部材の変位操作で調節可能とした請求項１に記載の魚釣用リール。
【請求項３】
前記音鳴回転体側に音鳴体を押圧付勢する着脱可能な付勢部材を有し、押圧力の異なる付勢部材と交換することにより、前記音鳴体の押圧力を調節可能とした請求項１に記載の魚釣用リール。
【発明の詳細な説明】
【技術分野】
【０００１】
本発明は魚釣用リールに関し、特に、スプールの回転状態を発音報知するクリック機構を備えた魚釣用リールに関する。
【背景技術】
【０００２】
一般に、リール本体に回転自在に支持されたスプールの回転状態を発音して報知し、魚をヒットしたときの釣糸の引き出しに伴う魚信報知等を行うクリック機構を備えた魚釣用リールが知られている。
【０００３】
このようなクリック機構には、スプールの側面にリング状円板で形成した鳴き板と同一円周上に複数の透孔を穿設したガイド板とを重合し、このガイド板に臨む側板に、ガイド板の透孔よりも小径の先端部を有するピンをスプールの側面に向けてバネ付勢しつつ進退自在に支持し、スプールの回転に所定の抵抗力を付与させると共に、スプールが回転したときにガイド板の透孔を介してピンの先端部を鳴き板に衝突させて発音させるものがある（例えば特許文献１参照）。
【０００４】
この従来のクリック機構では、鳴き板に衝突するピンの後端部から細杆を延設し、この細杆の端部に固定したツマミをリール本体に回転自在に支え、このツマミを回転操作してピンを軸方向に移動することにより、鳴き板に衝突させて発音する作動状態と、ガイド板から離間させて発音しない非作動状態との発音状態のオン・オフを切換えることが可能である。
【特許文献１】実公昭６１−１９６６０号公報
【発明の開示】
【発明が解決しようとする課題】
【０００５】
しかし、このような従来のクリック機構では、発音状態がオン・オフに切換制御することに限られるため、実釣場の状況、釣法、釣人の好み等に対応した調整ができず、発音報知に際して幅広い対応を行うことができない、という不都合がある。
【０００６】
本発明は、このような事情に基づいてなされたもので、実釣場の状況、釣法、あるいは釣人の好み等に応じて、クリックの調節および設定を行うことで幅広い対応を行うことができる魚釣用リールを提供することを目的とする。
【課題を解決するための手段】
【０００７】
上記目的を達成する本発明の魚釣用リールは、釣糸の繰り出しに伴って回転する音鳴回転体をリール本体に回転自在に支えられた回転体に設け、リール本体に変位可能に設けた音鳴体の端部をこの音鳴回転体に係合させて発音する発音機能を備えた魚釣用リールであって、前記音鳴回転体に当接する前記音鳴体の押圧力を調節可能としたことを特徴とする。
【発明の効果】
【０００８】
このような本発明の魚釣用リールによれば、音鳴回転体に係合する音鳴体の押圧力を調節することにより、音鳴回転体と音鳴体との係合による発音時のスプールに対する回転抵抗力および音色を調節し、実釣場の状況、釣法、あるいは釣人の好み等に応じて、クリックの調節および設定を行うことで幅広い対応を行うことが可能となる。
【発明を実施するための最良の形態】
【０００９】
以下、図面を参照しつつ本発明の一実施形態について説明する。図中、同様な部位には同様な符号を付してある。  
図１から図６は、本発明の好ましい実施形態による魚釣用リール１０を示す。この魚釣用リール１０は両軸受型に形成してあり、釣糸が巻回されるスプール１２と、このスプール１２を釣糸巻取方向に回転するハンドル１４とを有する。このスプール１２は、軸受１６Ａ，１６Ｂを介してスプール軸１８に回転可能に支持されている。また、スプール軸１８は、一対の軸受２０（一方のみを示す）を介してリール本体２２に回転支持されると共に、リール本体２２に対して、軸方向に沿って摺動することができる。
【００１０】
本実施形態のリール本体２２は、これに例えば複数のネジで締結された左右の側板２４Ａ，２４Ｂを有し、スプール軸１８のハンドル１４から離隔した端部を、この左側板２４Ａに設けた軸受２０で支え、ハンドル１４側の端部を、右側板２４Ｂ内に設けた図示しない軸受で支え、取付脚部２２Ａを介して図示しない釣竿に取付けられる。この右側板２４Ｂ内には、通常と同様に、スプール軸１８のハンドル１４側端部上に回り止め嵌合されたピニオンギア２６を含む駆動機構と、この駆動機構とスプール１２との間に介挿されて一定限度以上の荷重が釣糸に作用したときにスプール１２を空転させるドラグ機構とが収容されており、ハンドル１４を回転操作することにより、駆動機構およびドラグ機構を介してスプール１２が回転される。符号２８は、ドラグ力調整するための操作レバーを示す。
【００１１】
本実施形態では、スプール１２の回転状態を例えばクリック音である発音により報知する発音機構３０が、ハンドル１４側の側板２４Ｂに設けられている。この発音機構３０は、スプール１２のハンドル１４側の側面に例えば複数のビス３２で取付けられた板状の音鳴回転体３４と、リール本体２２の右側板２４Ｂに軸方向に進退自在に支えられかつ音鳴回転体３４に向けて付勢された音鳴体３６とを備える。音鳴回転体３４には、音鳴体３６に対向した位置で右側板２４Ｂ側に開口する多数の孔３４ａが、スプール軸１８の回転軸を中心とした同一円の円周方向に沿って配置されている。これらの孔３４ａは、周縁部と底壁面との間に段差が形成されており、音鳴体３６が軸方向に変位しつつこの段差を音鳴体３６が乗越えるときに、音鳴体３６が孔３４ａの底壁面に衝突してクリック音を発音する。なお、これらの孔３４ａの底壁は別部材で形成してもよく、回転体であるスプール１２との間に間隙を配置して音響効果を変化させてもよい。
【００１２】
図３から図６に示すように、本実施形態の音鳴体３６は、先端が球状に湾曲した断面円形の短軸状ヘッド部３６ａと、このヘッド部３６ａの後端から同軸状に延びるシャフト部３６ｂとを有し、このシャフト部３６ｂはヘッド部３６ａよりも細径でかつ長軸状に形成され、ヘッド部３６ａとの間の段部に環状面３７を形成する。このヘッド部３６ａは、スプール１２の回転に伴って音鳴回転体３４が回転する際に、先端の球状面が音鳴回転体３４に形成した上述の孔３４ａの底壁面に衝突して発音できるものであればよく、後端側の外径を音鳴回転体３４ａの孔３４ａよりも大径に形成してもよい。
【００１３】
この音鳴体３６は、ヘッド部３６ａとシャフト部３６ｂとのそれぞれの後端部の近部に、この音鳴体３６の長手方向軸線と直交する径方向孔３８ａ，３８ｂが貫通して形成され、これらの径方向孔３８ａ，３８ｂ内に、それぞれの両端部を突出させた状態で、ピン４０ａ，４０ｂが嵌合される。なお、後端側のピン４０ｂは、後述する支持スリーブ４２およびオン・オフ切換装置４８の本体部材５０に挿入された後、この本体部材５０の側部に開口する取付溝５１を介して嵌合することができる。
【００１４】
支持スリーブ４２は、それぞれの端部をスプール１２側および外側に突出させた状態で右側板２４Ｂに装着され、その軸方向内孔４４に音鳴体３６を摺動自在に保持する。この軸方向内孔４４は、音鳴体３６のヘッド部３６ａの先端部が突没自在に収容される大径領域４４ａと、シャフト部３６ｂを摺動自在に支える支承領域４４ｂと、後述するオン・オフ切換装置４８を回動自在に案内する案内領域４４ｃとを有する。この支持スリーブ４２は、大径領域４４ａ側の端部と音鳴回転体３４との間に、僅かなスペースＳを形成して右側板２４Ｂに装着することが好ましい。このように支持スリーブ４２と音鳴回転体３４とを近接位置に配置することにより、音鳴体３６の特にヘッド部３６ａの振れを抑制することができる。
【００１５】
この大径領域４４ａには、コイルばねで形成した付勢部材４６が音鳴体部３６のシャフト部３６ｂの周部に巻装した状態で収容される。このコイルばね状の付勢部材４６は、後端側を、軸方向内孔４４の大径領域４４ａと支承領域４４ｂとの間に形成された環状面４５で支えられ、先端側を、音鳴体３６のヘッド部３６ａとシャフト部３６ｂとの間に形成された環状面３７に当接させ、支持スリーブ４２の内孔４４内に進退自在に支えられたヘッド部３６ａを、スプール１２側すなわち音鳴回転体３４に向けて付勢する。このヘッド部３６ａに嵌合されたピン４０ａの端部を、支持スリーブ４２の軸方向に沿って案内するガイド溝４１が、支持スリーブ４２の大径領域４４ａを区画する壁部に形成されている。
【００１６】
また、支持スリーブ４２の右側板２４Ｂから外方に突出する端部には、発音状態すなわちオン位置と非発音状態すなわちオフ位置との間を移動して発音機構３０の作動状態を切換えるオン・オフ切換装置４８が配置されている。このオン・オフ切換装置４８は、ツマミ部５０ａと支持スリーブ４２の案内領域４４ｃに摺動自在に装着される案内軸部５０ｂとを設けた本体部材５０に、音鳴体３６のシャフト部３６ｂの後端側を摺動自在に収容する軸方向孔５２を有し、支持スリーブ４２から離隔した側にカム手段５６を配置してある。
【００１７】
本実施形態のカム手段５６は、音鳴体３６の後端部に嵌合したピン４０ｂを介して作動する傾斜面５６ａを有する。この傾斜面５６ａは、ピン４０ｂを付勢手段４６の付勢力に抗して音鳴回転体３４から離隔したオフ位置に配置する高位面５８ａと、音鳴体３６を音鳴回転体３４に当接可能なオン位置に配置する低位面５８ｂとに連続しており、ヘッド部３６ａに設けたピン４０ａを支持スリーブ４２の先端側に形成したガイド溝４１に沿って案内しつつこれらの高位面５８ａと低位面５８ｂとの間でピン４０ｂを移動することができる。
【００１８】
図３に鎖線で示すように、ピン４０ｂが高位面５８ａに係合した状態では、音鳴体３６のヘッド部３６ａを音鳴回転体３４から離隔した位置に配置する。そして、音鳴体３６が音鳴回転体３４の孔３４ａの底壁に当接する状態まで、本体部材５０が回動されると、ピン４０ｂは高位面５８ａから傾斜面５６ａに沿って低位面５８ｂ側に変位する。音鳴体３６が音鳴回転体３４の孔３４ａの底壁に当接する状態となっても、図３および図４に示すように、ピン４０ｂと低位面５８ｂとの間に僅かな間隙Ｇが形成されることが好ましい。
【００１９】
更に、本実施形態のオン・オフ切換装置４８の本体部材５０には、音鳴回転体３４に当接する音鳴体３６の押圧力を調節する調節装置６０が配置されている。この調節装置６０は、本体部材５０の後軸部５０ｃに螺合したキャップ状の調節部材６２と、本体部材５０の軸方向孔５２内に挿入されて調節部材６２と音鳴体３６との間に介挿されるコイルばね状の調節バネ６４とを有する。本実施形態の調節バネ６４は調節部材６２の頂壁部に形成したバネ受け６６で後端を支えられ、先端は音鳴体３６の後端部に装着されたピン４０ｂに係合し、上述の付勢手段４６の押圧力に加えて、音鳴回転体３４に当接する音鳴体３６に押圧力を付与する。
【００２０】
この調節装置６０は、調節部材６２を本体部材５０の後軸部５０ｃに対して進退させることにより、調節バネ６４の付勢力を調節することができる。図３に示すように、調節部材６２を締め込んだ状態では、調節バネ６４は音鳴体３６に大きな押圧力を付与し、図４に示すように、調節部材６２をねじ戻して後退させた状態では、調節バネ６４の付勢力が小さく、したがって音鳴体３６に付与する押圧力は小さい。
【００２１】
このように、音鳴回転体３４に係合する音鳴体３６の押圧力を調節することにより、音鳴回転体３４と音鳴体３６との係合による発音時のスプール１２に対する回転抵抗力および音色を調節し、実釣場の状況、釣法、あるいは釣人の好み等に応じて、クリックの調節および設定を行うことで幅広い対応を行うことが可能となる。
【００２２】
この調節装置６０は、調節部材６２を本体部材５０から取外して付勢力の異なる調節バネ６４に交換することも可能である。このため、所要の付勢力を形成する調節バネ６４と交換することで、音鳴体３６に付与する押圧力を調節することも可能である。
【００２３】
図７は、変形例による調節装置４８Ａを示す。図中、上述の実施形態と同様な部位には同様な符号を付してあり、したがって、上述の実施形態と異なる部位についてのみ説明する。
【００２４】
この変形例による調節装置４８Ａは、カム手段５６Ａが支持スリーブ４２の後端部の傾斜面４３と、本体部材５０の案内軸部５０ｂ側の傾斜面５３とで形成してある。本体部材５０を回転すると、これらの傾斜面４３，５３の係合位置が変化することにより、本体部材５０がピン４０ｂを音鳴体３６と共に軸方向に移動し、発音機構３０の発音状態すなわちオン位置と非発音状態すなわちオフ位置との間で切換えることができる。
【００２５】
なお、本発明は、前述した実施形態に限定されることなく、その要旨を逸脱しない範囲で種々変形実施できることは言うまでもない。
【図面の簡単な説明】
【００２６】
【図１】本発明の好ましい実施形態による魚釣リールの一部を断面で示す正面図。
【図２】図１に示す魚釣用リールの側面図。
【図３】図１の魚釣用リールの音鳴機構を示す拡大断面図。
【図４】図３の音鳴機構の音鳴体に対する押圧力を調節した状態の断面図。
【図５】図1の音鳴機構を分解した状態の説明図。
【図６】音鳴機構の本体部材に設けたカム手段を示し、（Ａ）は本体部材の横断面図、（Ｂ）および（Ｃ）はそれぞれ（Ａ）の中心線ｍ通る左右の縦断面図。
【図７】変形例による調節部材の説明図。
【符号の説明】
【００２７】
１０…魚釣用リール、１２…スプール、２２…リール本体、３４…音鳴回転体、３６…音鳴体、４８…調節装置。
【図１】
2006280223.tif 000003
【図２】
2006280223.tif 000004
【図３】
2006280223.tif 000005
【図４】
2006280223.tif 000006
【図５】
2006280223.tif 000007
【図６】
2006280223.tif 000008
【図７】
2006280223.tif 000009